(57)【要約】      （修正有） 【課題】いつでも、どこでも、手帳等に容易に貼り付けることができる手帳用手帳型ふせん及びこれを備えた手帳を提供する。【解決手段】手帳２０に装着可能な手帳用手帳型ふせん１０であって、手帳２０のポケット部２６に装着可能な表面部１２と、表面部１２に設けられたふせん部１４と、を有する。【選択図】図４
0003185605.tif 000002
【実用新案登録請求の範囲】
【請求項１】
手帳に装着可能な手帳用手帳型ふせんであって、
手帳のポケット部に装着可能な表面部と、
前記表面部に設けられたふせん部と、
を有することを特徴とする手帳用手帳型ふせん。
【請求項２】
前記ふせん部は、複数枚のシートが積層されて構成されていることを特徴とする請求項１に記載の手帳用手帳型ふせん。
【請求項３】
前記表面部は、第１表面部と、第２表面部と、前記第１表面部と前記第２表面部とを接続する接続部と、を有し、
前記ふせん部は、前記第１表面部又は前記第２表面部に設けられ、
前記第１表面部と前記第２表面部とが相互に対向したときに前記接続部がマチ部として機能することを特徴とする請求項１又は２に記載の手帳用手帳型ふせん。
【請求項４】
請求項１乃至３のいずれか１項に記載の手帳用手帳型ふせんを装着したことを特徴とする手帳。
【考案の詳細な説明】
【技術分野】
【０００１】
本考案は、例えば、手帳用手帳型ふせん及びこれを備えた手帳に関する。
【背景技術】
【０００２】
現在、日常生活やビジネス社会において、手帳を携帯する機会が多くなりつつある。この手帳には、重要な事項からメモ程度の事項まで、様々な内容を手軽に記載することができる。
【０００３】
しかし、手帳を閉じて月日が経つと、必要としている情報が手帳のどの頁に記載されているのかが瞬時に分からず、手帳の頁をめくって探す羽目になる。このようなケースとして、ふせんを貼り付けるなどして予め視覚に訴える工夫をすることにより、かかる問題を解決することができる。
【先行技術文献】
【特許文献】
【０００４】
【特許文献１】特開２００３−２１１８６８号公報
【考案の概要】
【考案が解決しようとする課題】
【０００５】
ところで、ふせんを貼り付けるタイミングは、手帳の所定の頁に情報を書き込んだ直後が好ましいが、このとき、ふせんが身近になければ、当然に貼り付けることができない。ふせんを鞄等の中に準備することは可能であるが、使用の都度、鞄からふせんを取り出さなければならず、手間である。このため、手帳の所定の頁に情報を書き込んだタイミングで、ふせんを貼り付けることは、なかなか困難である。
【０００６】
そこで、本考案は、上記問題を解決するためのものであり、いつでも、どこでも、手帳等に容易に貼り付けることができる手帳用手帳型ふせん及びこれを備えた手帳を提供することを目的とする。
【課題を解決するための手段】
【０００７】
本考案は、手帳に装着可能な手帳用手帳型ふせんであって、手帳のポケット部に装着可能な表面部と、前記表面部に設けられたふせん部と、を有することを特徴とする。
【０００８】
前記ふせん部は、複数枚のシートが積層されて構成されていることが好ましい。
【０００９】
前記表面部は、第１表面部と、第２表面部と、前記第１表面部と前記第２表面部とを接続する接続部と、を有し、前記ふせん部は、前記第１表面部又は前記第２表面部に設けられ、前記第１表面部と前記第２表面部とが相互に対向したときに前記接続部がマチ部として機能することが好ましい。
【００１０】
また、本考案は、これらの手帳用手帳型ふせんを装着した手帳である。
【考案の効果】
【００１１】
本考案によれば、いつでも、どこでも、ふせんを手帳等に容易に貼り付けることができる。
【図面の簡単な説明】
【００１２】
【図１】本考案の第１実施形態の手帳用手帳型ふせんの表面部が略１８０度開いた状態の正面図である。
【図２】本考案の第１実施形態の手帳用手帳型ふせんの表面部が所定の角度だけ開いた状態の斜視図である。
【図３】本考案の第１実施形態の手帳用手帳型ふせんの表面部が閉じた状態の右側面図である。
【図４】本考案の第１実施形態の手帳用手帳型ふせんが手帳に装着され、かつ手帳及び手帳用手帳型ふせんが略１８０度開いた状態の正面図である。
【図５】本考案の第１実施形態の手帳用手帳型ふせんが手帳に装着され、かつ手帳が開き、手帳用手帳型ふせんが閉じた状態の正面図である。
【図６】本考案の第１実施形態の手帳用手帳型ふせんが手帳に装着され、かつ手帳及び手帳用手帳型ふせんが閉じた状態の底面図である。
【図７】本考案の第１実施形態の手帳用手帳型ふせんが手帳に装着され、かつ手帳及び手帳用手帳型ふせんが所定の角度だけ開いた状態の斜視図である。
【考案を実施するための形態】
【００１３】
本考案の第１実施形態に係る手帳用手帳型ふせん及びこれを備えた手帳について、図面を参照して説明する。
【００１４】
図１乃至図３に示すように、手帳用手帳型ふせん１０は、例えば硬い材質で構成された表面部１２を備えている。表面部１２は、第１表面部１２Ａと、第２表面部１２Ｂと、第１表面部１２Ａと第２表面部１２Ｂとをつなぐ接続部１２Ｃと、を有している。
【００１５】
なお、第１表面部１２Ａ及び第２表面部１２Ｂの表面には、適宜、例えば文字、図形、記号、絵などで構成された所定のデザインが施されている。
【００１６】
第１表面部１２Ａ、第２表面部１２Ｂ及び接続部１２Ｃは、例えば、厚手のシート状の紙片が折り曲げられて構成されている。
【００１７】
なお、接続部１２Ｃは、手帳用手帳型ふせん１０が折り畳まれて第１表面部１２Ａと第２表面部１２Ｂとが相互に対向したときのマチ部として機能する。
【００１８】
手帳用手帳型ふせん１０は、さらに、ふせん部１４を備えている。ふせん部１４は、例えば、第１表面部１２Ａ又は第２表面部１２Ｂに接着剤等で取り付けられている。ふせん部１４は、複数枚のシート１４Ａが積層されて構成されている。隣接する各シート１４Ａは、着脱可能となるように朔などで貼り付けられている。ふせん部１４は、単数又は複数設けられている。
【００１９】
なお、ふせん部１４は、所定のデザインとなるような形状に形成されていてもよく、所定の模様や文字情報などが印字されていてもよい。ふせん部１４の詳細な構成は、特に限定されるものではない。
【００２０】
ただし、ふせん部１４は、各表面部１２Ａ、１２Ｂの外枠から外部にはみ出さないような大きさに設定され、かつ各表面部１２Ａ、１２Ｂに対して位置決めされることが好ましい。これにより、各表面部１２Ａ、１２Ｂを相互に対向して手帳用手帳型ふせん１０が閉じられたときに、各表面部１２Ａ、１２Ｂの外枠からからふせん部１４が外側へはみ出さず、意匠性が低下することを防止できる。
【００２１】
図４乃至図７に示すように、手帳２０は、カバー部２２と、紙綴り部２４と、を有している。カバー部２２は、例えば革等で構成されており、中央位置において相互に折り曲げることが可能である。カバー部２２が中央位置で折り曲げられた構成では、カバー部２２の一部の領域を占める第１カバー部２２Ａと、カバー部２２の他の領域を占める第２カバー部２２Ｂと、が相互に対向した状態になる。
【００２２】
第１カバー部２２Ａ及び第２カバー部２２Ｂには、複数又は単数のポケット部２６が形成されている。ポケット部２６には、紙綴り部２４の背表紙２４Ａが差し込まれている。これにより、紙綴り部２４がカバー部２２に対して着脱自在に装着されている。
【００２３】
ここで、手帳２０の一部のポケット部２６には、手帳用手帳型ふせん１０の第１表面部１２Ａ又は第２表面部１２Ｂが差し込み可能に構成されている。なお、手帳用手帳型ふせん１０の第１表面部１２Ａ又は第２表面部１２Ｂは、紙綴り部２４の背表紙２４Ａが差し込まれているポケット部２６に差し込まれている構成でもよいし、別のポケット部に差し込まれている構成でもよい。
【００２４】
手帳用手帳型ふせん１０の第１表面部１２Ａの幅方向寸法Ｘ（図１参照）は、カバー部２２の第１カバー部２２Ａあるいは第２カバー部２２Ｂの幅方向寸法Ｙ（図６参照）と同じかそれよりも短くなるように設計されている。これにより、カバー部２２のポケット部２６に第１表面部１２Ａを差し込んだ状態で、手帳用手帳型ふせん１０の接続部１２Ｃが第１カバー部２２Ａあるいは第２カバー部２２Ｂの領域に位置することになる。この状態では、図４及び図７に示すように、第２表面部１２Ｂ側にふせん部１４が取り付けられているので、ふせん部１４が露出し、シート１４Ａを１枚ずつ剥がすことができる。この結果、いつでも、どこでも、手帳２０の紙綴り部２４の所定の頁にシート１４Ａを容易に貼り付けることができる。
【００２５】
また、図４乃至図７に示すように、手帳用手帳型ふせん１０を中央位置で降り曲げることにより、第２表面部１２Ｂが第１表面部１２Ａと対向する。このとき、第２表面部１２Ｂは、カバー部２２の外枠から外部に突出することなく、手帳２０の内部で折り畳まれて収容された状態になる。このため、手帳２０の第１カバー部２２Ａと第２カバー部２２Ｂとを相互に折り畳むことにより、内部のポケット部２６に装着されている手帳用手帳型ふせん１０の第１表面部１２Ａと第２表面部１２Ｂとが同時に折り畳まれる。このように、手帳用手帳型ふせん１０は、手帳２０の開閉動作と連動させることができ、あたかも手帳２０の付属書類のように取り扱うことができる。
【００２６】
なお、図６に示すように、手帳２０の内部に手帳用手帳型ふせん１０を収容しても、手帳用手帳型ふせん１０の厚みは実質的に接続部１２Ｃの幅寸法Ｚ（図１参照）に限られるため、手帳２０が大きく膨らむことがない。
【００２７】
なお、手帳用手帳型ふせん１０の第２表面部１２Ｂの幅方向寸法についても、カバー部２２との寸法関係において、第１表面部１２Ａのものと同様に構成されている。
【００２８】
本実施形態の手帳用手帳型ふせん１０及びこれを備えた手帳２０によれば、手帳２０に手帳用手帳型ふせん１０が装着されているので、いつでも、どこでも、手帳用手帳型ふせん１０のふせん部１４のシート１４Ａを使用することができる。
【００２９】
また、手帳用手帳型ふせん１０が上記のように折り畳まれて手帳２０の内側に収容されているため、折り畳んだ状態の手帳２０が大きく膨らむことがない。このため、手帳２０の携帯性機能が低下することを防止できる。
【符号の説明】
【００３０】
１０      手帳用手帳型ふせん
１２      表面部
１２Ａ    第１表面部（表面部）
１２Ｂ    第２表面部（表面部）
１２Ｃ    接続部（表面部）
１４      ふせん部
１４Ａ    シート
２０      手帳
２２      カバー部
２２Ａ    第１カバー部（カバー部）
２２Ｂ    第２カバー部（カバー部）
２４      紙綴り部
２４Ａ    背表紙
２６      ポケット部
【図１】
0003185605.tif 000003
【図２】
0003185605.tif 000004
【図３】
0003185605.tif 000005
【図４】
0003185605.tif 000006
【図５】
0003185605.tif 000007
【図６】
0003185605.tif 000008
【図７】
0003185605.tif 000009